(57)【特許請求の範囲】
【請求項１】
シートのフレーム部材に取り付けられ、モータと、ギアアセンブリを内蔵するギアボックスと、を有するパワーシートモータユニットにおいて、該ギアボックスのうち、一段目ギアを収容する第一ギアボックスに装着される防音カバーであって、
該第一ギアボックスにおいて、該モータの軸方向をＸ方向、該Ｘ方向に直交する二方向のうち、該フレーム部材への取り付け方向をＹ方向、残りの方向をＺ方向と定義した場合、
該第一ギアボックスの少なくともＸ−Ｚ面に配置される発泡体と、
該発泡体の外側に配置されるカバー部材と、
該発泡体と該カバー部材との間に介装され、該第一ギアボックスの少なくともＸ−Ｚ面に対応する位置に該発泡体と接触して配置されるマスと、
を有することを特徴とする防音カバー。
【請求項２】
前記ギアボックスは、前記Ｙ方向において前記フレーム部材に片持ち梁状に取り付けられる請求項１に記載の防音カバー。
【請求項３】
前記発泡体および前記カバー部材は前記第一ギアボックスのＸ−Ｚ面およびＸ−Ｙ面の二面を覆うように配置され、防音カバー全体がＬ字状を呈する請求項１または請求項２に記載の防音カバー。
【請求項４】
前記第一ギアボックスの前記Ｙ方向および前記Ｚ方向における制振対象周波数は５００Ｈｚ以下である請求項１ないし請求項３のいずれかに記載の防音カバー。
【請求項５】
前記発泡体および前記カバー部材は樹脂またはエラストマー製である請求項１ないし請求項４のいずれかに記載の防音カバー。
【請求項６】
前記発泡体は、樹脂またはエラストマーからなる母材と、該母材に含まれる磁性フィラーと、を有し、該磁性フィラーは前記Ｙ方向に連接して配向している請求項１ないし請求項５のいずれかに記載の防音カバー。
【発明の詳細な説明】
【技術分野】
【０００１】
本発明は、パワーシートモータユニットに装着される防音カバーに関する。
【背景技術】
【０００２】
自動車などの乗り物に搭載されるパワーシートには、シートの前後位置、高さ、背もたれの角度などを電動で調整するためのパワーシートモータユニットが配置されている（特許文献１参照）。パワーシートモータユニットは、モータ、歯車（ギア）などの複数の部品が組み合わさって構成されている。モータの駆動により歯車が回転し、それにより駆動シャフトが回転することにより、シートを前後方向に移動させたり、シートの高さや背もたれの角度を変えることができる。近年では、車室内の低振動化、低騒音化が図られており、パワーシートモータユニットの駆動音も低減が要求される。
【０００３】
騒音を低減するための吸音材としては、ポリウレタンフォームなどの発泡体が多く使用されている。例えば、特許文献２には、磁性フィラーを含む発泡体からなる吸音カバーが、開示されている。特許文献２に記載された吸音カバーにおいては、熱伝導率が大きな磁性フィラーが、吸音カバーの厚さ方向に配向している。このため、モータ音を低減できるだけでなく、モータで生じた熱を磁性フィラーを介して速やかに放出することができる。
【先行技術文献】
【特許文献】
【０００４】
【特許文献１】特開２０１５−２０９０７３号公報
【特許文献２】特開２０１５−０６９０１２号公報
【特許文献３】特公平６−１００２４５号公報
【特許文献４】実開平６−７１９３８号公報
【発明の概要】
【発明が解決しようとする課題】
【０００５】
パワーシートモータユニットを駆動させると、モータおよび一段目ギアからの放射音や、シートフレームへの取付部からの固体伝播音などが発生する。また、シート操作によりモータの回転方向や回転数が変化するため、騒音の周波数が変化する。特許文献２に記載された発泡体を使用した吸音カバーは、モータからの高周波数の騒音を低減するためには有効である。しかしながら、固体伝播音などの５００Ｈｚ以下の低周波数の騒音に対しては低減効果が小さい。
【０００６】
一方、振動を低減する装置として、ダイナミックダンパが知られている。一般に、ダイナミックダンパは、制振対象たる振動体に取り付けられる取付部材に、ゴムなどの弾性体を介してマスが弾性支持されるよう構成されている。振動体が特定の周波数で振動した際に、マスと弾性体とがマス−ばねからなる振動系を構成し共振して、振動体の振動を吸収し低減させる。しかしながら、ダイナミックダンパは、低周波数の騒音低減には有効であるが、高周波数の騒音を低減することはできない。また、低減される周波数帯域が狭く、モータの回転方向や回転数が変化する場合など、周波数が変化する対象に対しては充分な騒音低減効果が得られない。
【０００７】
本発明は、このような実情に鑑みてなされたものであり、パワーシートモータユニットにおける高周波数から低周波数までの広い周波数帯域の騒音を低減することができる防音カバーを提供することを課題とする。
【課題を解決するための手段】
【０００８】
（１）上記課題を解決するため、本発明の防音カバーは、シートのフレーム部材に取り付けられ、モータと、ギアアセンブリを内蔵するギアボックスと、を有するパワーシートモータユニットにおいて、該ギアボックスのうち、一段目ギアを収容する第一ギアボックスに装着される防音カバーであって、該第一ギアボックスにおいて、該モータの軸方向をＸ方向、該Ｘ方向に直交する二方向のうち、該フレーム部材への取り付け方向をＹ方向、残りの方向をＺ方向と定義した場合、該第一ギアボックスの少なくともＸ−Ｚ面に配置される発泡体と、該発泡体の外側に配置されるカバー部材と、該発泡体と該カバー部材との間に介装され、該第一ギアボックスの少なくともＸ−Ｚ面に対応する位置に該発泡体と接触して配置されるマスと、を有することを特徴とする。
【０００９】
本発明の防音カバーは、発泡体、カバー部材に加えて、両者の間に配置されるマスを有する。マスは発泡体に弾性的に支持される。発泡体およびカバー部材が複合ばねとなり、それにマスが追加されることにより、いわゆるマス−ばねによる防振効果を得ることができる。本発明の防音カバーにおいては、発泡体およびカバー部材による吸音および遮音機能に、マス−ばねによる防振機能が加わることにより、空気を伝播する放射音の低減と、固体伝播音の低減と、の両方を実現することができる。すなわち、本発明の防音カバーによると、放射音などの高周波数の騒音だけでなく、固体を伝播する５００Ｈｚ以下の低周波数の騒音をも低減することができる。
【００１０】
本発明の防音カバーにおいては、発泡体およびカバー部材のいずれか一方、あるいは両方のばね定数を変更することにより、防音カバーの固有振動数を変更することができる。勿論、マスの質量を変更しても固有振動数を変更することができる。このように、本発明の防音カバーによると、低減したい振動周波数に応じたチューニングが容易である。
【００１１】
本発明者が検討したところ、第一ギアボックスは、フレーム部材への取り付け方向であるＹ方向において、１２５Ｈｚ付近の共振周波数を有することがわかった。本発明の防音カバーにおいて、発泡体、マス、およびカバー部材は、第一ギアボックスの少なくともＸ−Ｚ面に配置される。第一ギアボックスのＸ−Ｚ面は、Ｙ方向に垂直な面である。こうすることにより、Ｙ方向に伝播する低周波数の騒音を効果的に低減することができる。
【００１２】
（２）好ましくは、上記（１）の構成において、前記ギアボックスは、前記Ｙ方向において前記フレーム部材に片持ち梁状に取り付けられる構成にするとよい。
【００１３】
第一ギアボックスには、一段目ギアなどの回転体が収容されている。ギアボックスがＹ方向に片持ち梁状に取り付けられた場合、第一ギアボックスからは、Ｙ方向（取付方向）およびＺ方向（自重方向）の二方向に騒音が生じると考えられる。本発明の防音カバーによると、第一ギアボックスの少なくともＸ−Ｚ面に、発泡体、マス、およびカバー部材が配置される。これにより、Ｙ方向およびＺ方向の両方向における騒音を低減することができる。
【００１４】
（３）好ましくは、上記（１）または（２）の構成において、前記発泡体および前記カバー部材は前記第一ギアボックスのＸ−Ｚ面およびＸ−Ｙ面の二面を覆うように配置され、防音カバー全体がＬ字状を呈する構成にするとよい。
【００１５】
本構成によると、発泡体およびカバー部材により、第一ギアボックスのＸ−Ｚ面およびＸ−Ｙ面の二面が被覆されるため、これらによる吸音および遮音効果が高まり、Ｙ方向およびＺ方向の両方向における騒音をより低減することができる。また、第一ギアボックスへの取り付けも容易である。
【００１６】
（４）好ましくは、上記（１）ないし（３）のいずれかの構成において、前記第一ギアボックスの前記Ｙ方向および前記Ｚ方向における制振対象周波数は５００Ｈｚ以下である構成にするとよい。
【００１７】
上述したように、第一ギアボックスからは、Ｙ方向およびＺ方向の二方向に騒音が生じると考えられる。したがって、これら二方向における低周波数の振動を低減できると、パワーシートモータユニットの騒音を効果的に低減することができる。
【００１８】
（５）好ましくは、上記（１）ないし（４）のいずれかの構成において、前記発泡体および前記カバー部材は樹脂またはエラストマー製である構成にするとよい。
【００１９】
本構成によると、発泡体およびカバー部材を容易に成形することができると共に、防音カバーを軽量化することができる。特にカバー部材をエラストマーで構成する場合には、カバー部材の弾性率を変更することにより共振周波数を調整することができるため、カバー部材を金属や樹脂で構成する場合と比較して、調整可能な共振周波数の範囲を広くすることができる。また、カバー部材がエラストマー製であれば、仮にカバー部材の固有値振動に伴う二次放射音が発生するような場合でも、例えば１００Ｈｚ以下などのより聴感感度が低い低周波数帯域にカバー部材の固有値を調整して影響を小さくすることができる。また、エラストマーの減衰効果により、二次放射音の発生を抑制することができる。
【００２０】
なお、「樹脂またはエラストマー製」とは、発泡体およびカバー部材の母材が樹脂またはエラストマーであればよく、樹脂またはエラストマー以外に他の材料を含んでいても構わない。本明細書において、エラストマーは、架橋ゴムおよび熱可塑性エラストマーを含む。
【００２１】
（６）好ましくは、上記（１）ないし（５）のいずれかの構成において、前記発泡体は、樹脂またはエラストマーからなる母材と、該母材に含まれる磁性フィラーと、を有し、該磁性フィラーは前記Ｙ方向に連接して配向している構成にするとよい。
【００２２】
本構成の発泡体においては、磁性フィラーが配向することにより、Ｙ方向のばね定数とＺ方向のばね定数とが異なる。磁性フィラーが配向するＹ方向においては、Ｚ方向と比較してばね定数が大きい。このため、Ｙ方向においては、Ｚ方向よりも固有振動数が上昇する。一方、Ｚ方向においては、Ｙ方向と比較してばね定数が小さい。このため、Ｚ方向においては、Ｙ方向よりも固有振動数が低下する。これにより、例えば第一ギアボックスのＹ方向における共振周波数とＺ方向における共振周波数とが異なる場合にも、対応することができる。
【００２３】
また、ポリウレタンフォームなどの発泡体は、内部に多数のセル（気泡）を有するため熱伝導率が小さい。このため、第一ギアボックスの外側が発泡体で覆われると、第一ギアボックスに熱が蓄積されやすい。この点、本構成の発泡体の中には、熱伝導率が比較的大きい磁性フィラーが、Ｙ方向に連接して配向している。このため、第一ギアボックスで生じた熱を、配向した磁性フィラーを介して速やかに放出することができる。
【図面の簡単な説明】
【００２４】
【図１】実施形態の防音カバーが装着されたパワーシートモータユニットの右側面図である。
【図２】同防音カバーの図１におけるＩＩ−ＩＩ断面図である。
【図３】同防音カバーの発泡体における磁性フィラーの配向状態を示す模式図である。
【図４】実施例１の防音カバー付きパワーシートモータユニットの取付図である。
【図５】参考例１のマス付きパワーシートモータユニットの取付図である。
【図６】Ｙ方向の打撃に対するＹ方向におけるイナータンスの測定結果を示すグラフである。
【図７】Ｚ方向の打撃に対するＺ方向におけるイナータンスの測定結果を示すグラフである。
【図８Ａ】マイクＡにより測定されたＺ方向の騒音レベルのグラフである。
【図８Ｂ】マイクＢにより測定されたＹ方向の騒音レベルのグラフである。
【発明を実施するための形態】
【００２５】
以下、本発明の防音カバーの実施の形態について説明する。まず、本実施形態の防音カバーの構成を説明する。図１に、本実施形態の防音カバーが装着されたパワーシートモータユニットの右側面図を示す。図２に、同防音カバーの図１におけるＩＩ−ＩＩ断面図を示す。図３に、同防音カバーの発泡体における磁性フィラーの配向状態を模式的に示す。説明の便宜上、図３においては、発泡体のハッチングを省略して示す。図１〜図３において、モータの軸方向（前後方向）をＸ方向、Ｘ方向に直交する二方向のうち、サイドフレームへの取り付け方向（左右方向）をＹ方向、残りの方向（上下方向）をＺ方向と定義する。
【００２６】
図１、図２に示すように、本実施形態のパワーシートモータユニット１は、モータ１０と、ギアボックス１１と、を備えている。ギアボックス１１には、複数のギアが連結されたギアアセンブリが内蔵されている。ギアボックス１１は、一段目ギアが収容されている第一ギアボックス１２と、それに続く第二ギアボックス１３と、を有している。モータ１０は、第一ギアボックス１２の前端に取り付けられている。
【００２７】
パワーシートモータユニット１は、自動車のシートの高さを調整するために用いられる。パワーシートモータユニット１は、シートフレームのうち、右側部において前後方向に延びるサイドフレーム２の外側に、取り付けられている。パワーシートモータユニット１においては、第二ギアボックス１３が三つのボルト２０ａ、２０ｂ、２０ｃによりサイドフレーム２に固定されている。これにより、ギアボックス１１、ひいてはパワーシートモータユニット１が、サイドフレーム２に片持ち梁状に取り付けられている。サイドフレーム２は、本発明におけるフレーム部材の概念に含まれる。第二ギアボックス１３の左面からは、左方（シート内側方向）に向かって出力軸１３０が突出している。
【００２８】
防音カバー３は、一段目ギアを収容する第一ギアボックス１２に装着されている。防音カバー３は、第一ギアボックス１２の上面１２０（Ｘ−Ｙ面）および右面１２１（Ｘ−Ｚ面）の二面を覆っている。防音カバー３は、前方から見てＬ字状を呈している。防音カバー３は、発泡体３０と、カバー部材３１と、マス３２と、を有している。
【００２９】
発泡体３０は、第一ギアボックス１２の上面１２０および右面１２１の二面を覆うように配置されている。発泡体３０は、前方から見てＬ字状を呈している。発泡体３０は、グラファイト粒子にステンレス鋼粒子を複合化した複合粒子を含むポリウレタンフォーム製である。図３に示すように、複合粒子３００は、左右方向（Ｙ方向）に連なるように配向している。すなわち、複合粒子３００は、第一ギアボックス１２の上面１２０においては発泡体３０の面方向に、右面１２１においては発泡体３０の厚さ方向に、各々連接して配向している。複合粒子３００は、本発明における磁性フィラーの概念に含まれる。複合粒子３００がＹ方向に配向していることにより、発泡体３０におけるＹ方向のばね定数は、Ｚ方向のばね定数よりも大きい。
【００３０】
カバー部材３１は、アクリロニトリル−ブタジエン−スチレン（ＡＢＳ）樹脂製であり、第一ギアボックス１２の上面１２０および右面１２１の二面において発泡体３０を覆うように配置されている。カバー部材３１は、前方から見てＬ字状を呈している。第一ギアボックス１２の右面１２１を覆うカバー部材３１には、マス３２を収容する凹部３１０が形成されている。
【００３１】
マス３２は、鉄製であり、矩形板状を呈している。マス３２の質量は１１０ｇである。マス３２は、カバー部材３１の凹部３１０に嵌め込まれている。マス３２は、第一ギアボックス１２の右面１２１を覆う発泡体３０に接触して配置されている。
【００３２】
次に、本実施形態の防音カバーの作用効果を説明する。防音カバー３は、発泡体３０、カバー部材３１に加えて、マス３２を有している。マス３２は発泡体３０に弾性的に支持されている。発泡体３０およびカバー部材３１が複合ばねとなり、それにマス３２が追加されることにより、いわゆるマス−ばねによる防振効果を得ることができる。よって、防音カバー３は、発泡体３０およびカバー部材３１による吸音および遮音機能に加えて、マス−ばねによる防振機能を有している。したがって、防音カバー３によると、放射音および固体伝播音の両方を低減することができる。すなわち、防音カバー３によると、高周波数の騒音だけでなく、５００Ｈｚ以下の低周波数の騒音をも低減することができる。
【００３３】
防音カバー３の固有振動数は、発泡体３０およびカバー部材３１のいずれか一方、あるいは両方のばね定数を変更することにより、またはマス３２の質量を変更するなどして、変更すればよい。よって、防音カバー３においては、低減したい周波数に応じたチューニングが容易である。
【００３４】
パワーシートモータユニット１は、サイドフレーム２に片持ち梁状に取り付けられている。より具体的には、防音カバー３が装着される第一ギアボックス１２を含むギアボックス１１は、サイドフレーム２に片持ち梁状に取り付けられている。ここで、発泡体３０およびカバー部材３１は、第一ギアボックス１２の上面１２０（Ｘ−Ｙ面）および右面１２１（Ｘ−Ｚ面）の二面を覆っている。マス３２は、第一ギアボックス１２の右面１２１（Ｘ−Ｚ面）に配置されている。これにより、第一ギアボックス１２から生じるＹ方向およびＺ方向の騒音を効果的に低減することができる。また、防音カバー３は、Ｌ字状を呈しているため、第一ギアボックス１２に容易に取り付けることができる。
【００３５】
発泡体３０は、複合粒子３００を含むポリウレタンフォーム製である。複合粒子３００は、左右方向（Ｙ方向）に連接して配向している。このため、第一ギアボックス１２で生じた熱を、配向した複合粒子３００を介して速やかに放出することができる。また、発泡体３０のばね定数は、Ｙ方向とＺ方向とで異なっている。すなわち、発泡体３０の固有振動数は、Ｙ方向とＺ方向とで異なっている。これにより、第一ギアボックス１２のＹ方向における共振周波数とＺ方向における共振周波数とが異なる場合にも、対応することができる。
【００３６】
カバー部材３１は、ＡＢＳ樹脂製である。このため、発泡体３０と同様に、成形が容易である。また、防音カバー３の軽量化を図ることができる。カバー部材３１には、マス３２を収容する凹部３１０が形成されている。このため、発泡体３０とカバー部材３１との間にマス３２を配置しやすい。
【００３７】
以上、本発明の防音カバーの一形態について説明した。しかしながら、実施の形態は上記形態に特に限定されるものではない。当業者が行いうる種々の変形的形態、改良的形態で実施することも可能である。
【００３８】
本発明の防音カバーを装着するパワーシートモータユニットの構成、形状、取り付け方法、取り付け角度、用途などは、上記実施形態に限定されない。上記実施形態においては、防音カバーをＬ字状にした。しかし、防音カバーの形状は特に限定されない。防音カバーは、第一ギアボックスの一面にのみ配置してもよく、連続しない面に別々に配置してもよく、三面以上を覆うように配置してもよい。ここで、発泡体、カバー部材、マスは、第一ギアボックスの少なくともＸ−Ｚ面に配置されていればよい。なかでも、フレーム部材とは反対側のＸ−Ｚ面に配置することが望ましい。上記実施形態においては、マスをＸ−Ｚ面のみに配置したが、それに加えてＸ−Ｙ面に配置してもよい。発泡体、カバー部材、マスは、積層されているだけでもよいが、両面テープ、接着剤などで隣接部材に固定してもよい。
【００３９】
発泡体の材質、形状、厚さなどは、上記実施形態に限定されない。例えば、発泡体の厚さは、一定でも場所により変えてもよい。例えば、放熱性を考慮した場合には、第一ギアボックスとの接触面積を大きくするとよい。発泡体の材質としては、ポリウレタンフォームの他、ポリエチレンフォーム、ポリプロピレンフォームなどの発泡樹脂または発泡エラストマーを採用すればよい。発泡体は、樹脂またはエラストマーのみから形成されていてもよいが、上記実施形態のように、所定の方向に配向可能な磁性フィラーなどを含有していてもよい。磁性フィラーとしては、例えば、鉄、ニッケル、コバルト、ガドリニウム、ステンレス鋼などの強磁性体、ＭｎＯ、Ｃｒ２Ｏ３、ＦｅＣｌ２、ＭｎＡｓなどの反強磁性体、およびこれらを用いた合金類を用いるとよい。なかでも、熱伝導率が大きくフィラーとしての加工性に優れる点から、ステンレス鋼、銅鉄合金などが好適である。また、放熱性を向上させるという観点から、磁性フィラーとして、熱伝導率が大きい熱伝導性粒子の表面に磁性粒子が付着した複合粒子を用いてもよい。熱伝導性粒子の材質としては、例えば、黒鉛、膨張黒鉛、炭素繊維などの炭素材料が好適である。
【００４０】
カバー部材の材質、形状なども特に限定されない。カバー部材の材質としては、樹脂またはエラストマーが望ましい。例えば、ＡＢＳ樹脂、ポリプロピレン（ＰＰ）樹脂、ポリアミド（ＰＡ）樹脂、オレフィン系エラストマー（ＴＰＯ）、スチレン系エラストマー（ＴＰＳ）、ウレタン系エラストマー（ＴＰＵ）、天然ゴム（ＮＲ）、エチレン−プロピレン−ジエンゴム（ＥＰＤＭ）、ニトリルゴム（ＮＢＲ）、クロロプレンゴム（ＣＲ）、ブチルゴム（ＩＩＲ）、シリコーンゴム（Ｑ）などが挙げられる。また、これらに各種強化材が配合された材料や、これらと他の材料との複合材料を用いてもよい。カバー部材は、発泡体を外側から覆うように配置することが望ましい。
【００４１】
マスの材質、形状、質量なども特に限定されない。例えば、低減したい振動周波数に応じてマスの質量を調整すればよい。マスの形状が平板状の場合、プレス打ち抜き加工により製造することができるため、製造容易性およびコスト面において好適である。
【実施例】
【００４２】
次に、実施例を挙げて本発明をより具体的に説明する。
【００４３】
＜イナータンス測定＞
［測定方法］
（１）実施例１
上記実施形態の防音カバーが装着されたパワーシートモータユニット（前出図１、図２参照）を使用して、防音カバーによる振動低減効果を確認した。防音カバーの製造およびパワーシートモータユニットへの取り付け方法は、以下の通りである。まず、ポリオール、ポリイソシアネート、複合粒子粉末を含む混合原料を発泡成形して、Ｌ字状の発泡体を製造した。次に、ＡＢＳ樹脂からＬ字状のカバー部材を成形し、凹部にマスを嵌め込んだ。それから、発泡体を第一ギアボックスの上面（Ｘ−Ｚ面）および右面（Ｘ−Ｙ面）に接着剤により固定し、それを覆うようにカバー部材をマスと共に組み付けた。このようにして得られた防音カバー付きパワーシートモータユニットを、上下方向に垂直に立てられた金属板の一面に、片持ち梁状に取り付けた。
【００４４】
図４に、防音カバー付きパワーシートモータユニットの取付図を示す。図４は、防音カバー付きパワーシートモータユニットを前方から見た状態を示している。図４中、図１と対応する部材については同じ符号で示す。図４に示すように、第一ギアボックス１２の後方の第二ギアボックス１３が、三組のボルト２０ａ、２０ｂ、２０ｃおよびナット２１ａ、２１ｂ、２１ｃにより金属板９に固定されている。これにより、パワーシートモータユニット１は、金属板９に片持ち梁状に取り付けられている。金属板９には、第一ギアボックス１２に対応する位置に、円形の開口部が穿設されている。第一ギアボックス１２の左側面の後方下端には、加速度ピックアップ（図略）が取り付けられている。加速度ピックアップは、ＦＦＴ（高速フーリエ変換）アナライザに接続されている。本実施例においては、加速度ピックアップとして、ブリュエル・ケアー（Ｂ＆Ｋ）社製の「４５０７Ｃ」を使用した。また、ＦＦＴアナライザとして同社製の「ＰＬＵＳＥ／Ｌａｂｓｈｏｐ」を使用した。
【００４５】
まず、図４中、白抜き矢印Ｙで示すように、金属板９の左側（Ｙ方向）から第一ギアボックス１２の左面をインパクトハンマで打撃して、第一ギアボックス１２のＹ方向におけるイナータンスを測定した。次に、図４中、白抜き矢印Ｚで示すように、上方（Ｚ方向）から第一ギアボックス１２の上面をインパクトハンマで打撃して、第一ギアボックス１２のＺ方向におけるイナータンスを測定した。ここでイナータンスは、第一ギアボックス１２に加えられる加振力をＦ、第一ギアボックス１２の測定点（加速度ピックアップの配置点）に生じる加速度をＡとして、Ａ／Ｆにより算出される値である。イナータンスは、単位加振力に対する振動レベルの応答性を表す指標であり、モータで同じ加振力を加えた場合（モータを作動させた場合）、イナータンスの値が大きくなるほどパワーシートモータユニット（第一ギアボックス）からの振動が大きいといえる。
【００４６】
（２）比較例１
比較のため、防音カバーが装着されていないパワーシートモータユニットを用いて、実施例１と同様にして、第一ギアボックスのＹ方向とＺ方向とにおけるイナータンスを測定した。
【００４７】
（３）参考例１
参考例１として、防音カバーの代わりにマスのみを配置したパワーシートモータユニットを用いて、実施例１と同様にして、第一ギアボックスのＹ方向とＺ方向とにおけるイナータンスを測定した。
【００４８】
図５に、マス付きパワーシートモータユニットの取付図を示す。図５は、図４と対応している。図５に示すように、マス４０は、第一ギアボックス１２の右面に配置されている。マス４０は、上記実施形態の防音カバーに使用したものと同じ鉄製であり、矩形板状を呈している。マス４０の質量は１１０ｇである。
【００４９】
（４）参考例２
参考例２として、マスを有しない防音カバーが装着されたパワーシートモータユニットを用いて、実施例１と同様にして、第一ギアボックスのＹ方向とＺ方向とにおけるイナータンスを測定した。参考例２のパワーシートモータユニットに装着される防音カバーは、上記実施形態の防音カバーからマスのみを除いたものである。すなわち、前出図２において、カバー部材３１の凹部３１０には、マスの代わりに発泡体３０が充填されている。
【００５０】
［測定結果］
図６に、Ｙ方向の打撃に対するＹ方向におけるイナータンスの測定結果を示す。図７に、Ｚ方向の打撃に対するＺ方向におけるイナータンスの測定結果を示す。
【００５１】
図６に示すように、Ｙ方向から振動を加えた場合、パワーシートモータユニット単体（比較例１）におけるＹ方向のイナータンスのピークは１１４Ｈｚ、３６０Ｈｚ、４６８Ｈｚ付近にある。これに対して、本発明の防音カバー付きパワーシートモータユニット（実施例１）においては、同じ周波数におけるイナータンスのピーク値が低下した。また、図７に示すように、Ｚ方向から振動を加えた場合、パワーシートモータユニット単体（比較例１）におけるＺ方向のイナータンスのピークは１７８Ｈｚ付近にある。これに対して、本発明の防音カバー付きパワーシートモータユニット（実施例１）においては、同じ周波数におけるイナータンスのピーク値が低下した。すなわち、本発明の防音カバーを装着した場合、パワーシートモータユニットを単独で使用した場合に問題となる５００Ｈｚ以下の低周波数帯域の振動レベルが小さくなった。そして、本発明の防音カバーによる低周波数帯域の振動抑制効果は、Ｙ方向およびＺ方向の二方向において発揮されていることがわかる。以上より、本発明の防音カバーを使用すると、５００Ｈｚ以下の低周波数の騒音を低減できることが確認された。
【００５２】
ちなみに、参考例１、２のパワーシートモータユニットにおいては、パワーシートモータユニット単体（比較例１）におけるイナータンスのピーク（Ｙ方向：１１４Ｈｚ、Ｚ方向：１７８Ｈｚ）が低周波数側に若干ずれただけであり、ピーク値を低下させる効果は見られなかった。
【００５３】
＜騒音測定＞
［測定方法］
実施例１の防音カバー付きパワーシートモータユニットと比較例１のパワーシートモータユニット単体とを使用して、防音カバーによる騒音低減効果を確認した。まず、上記イナータンス測定と同じように、実施例１の防音カバー付きパワーシートモータユニット、比較例１のパワーシートモータユニットを、各々金属板の一面に片持ち梁状に取り付けて、モータを駆動させた。モータの駆動電圧は１６Ｖ一定とし、前出図４、図５における左方（金属板９側）から見て出力軸が時計回りに１．２５回転するように駆動させた。そして、マイクＡを第一ギアボックスの上方（Ｚ方向）に第一ギアボックスから８０ｍｍ離間して配置して、マイクＢを第一ギアボックスの右方（Ｙ方向）に第一ギアボックスから５０ｍｍ離間して配置して、駆動時に発生する騒音レベルを測定した。騒音レベルの測定には、ブリュエル・ケアー（Ｂ＆Ｋ）社製の測定装置「Ｔｙｐｅ３１６０−Ａ−０４２」および測定ソフト「ＰＵＬＳＥ  タイムデータレコーダ」を用いた。
【００５４】
［測定結果］
図８Ａに、マイクＡにより測定された騒音レベル（Ｚ方向の騒音レベル）を示す。図８Ｂに、マイクＢにより測定された騒音レベル（Ｙ方向の騒音レベル）を示す。
【００５５】
図８Ａ、図８Ｂに示すように、パワーシートモータユニット単体（比較例１）と防音カバー付きパワーシートモータユニット（実施例１）とを比較すると、Ｚ方向およびＹ方向のいずれにおいても、１／３オクターブバンド周波数で１２５Ｈｚ（遮断周波数：１１１．４〜１４０．３Ｈｚ）、１６０Ｈｚ（遮断周波数：１４２．５〜１７９．６Ｈｚ）、４００Ｈｚ（遮断周波数：３５６．３〜４４９．０Ｈｚ）、５００Ｈｚ（遮断周波数：４４５．４〜５６１．３Ｈｚ）付近の騒音レベルが小さくなった。これは、先のイナータンス測定の結果とも合致する。このように、本発明の防音カバーを使用すると、５００Ｈｚ以下の低周波数の騒音を低減できることが確認された。
【符号の説明】
【００５６】
１：パワーシートモータユニット、１０：モータ、１１：ギアボックス、１２：第一ギアボックス、１３：第二ギアボックス、１２０：上面（Ｘ−Ｙ面）、１２１：右面（Ｘ−Ｚ面）、１３０：出力軸、２：サイドフレーム（フレーム部材）、２０ａ、２０ｂ、２０ｃ：ボルト、２１ａ、２１ｂ、２１ｃ：ナット、３：防音カバー、３０：発泡体、３１：カバー部材、３２：マス、３００：複合粒子（磁性フィラー）、３１０：凹部、４０：マス、９：金属板。
【図１】
0006622137.tif 000002
【図２】
0006622137.tif 000003
【図３】
0006622137.tif 000004
【図４】
0006622137.tif 000005
【図５】
0006622137.tif 000006
【図６】
0006622137.tif 000007
【図７】
0006622137.tif 000008
【図８Ａ】
0006622137.tif 000009
【図８Ｂ】
0006622137.tif 000010